(57)【要約】      （修正有）【課題】取り扱い性に優れた建造物用配管の検査用耐圧ホースを提供する。【解決手段】検査用耐圧ホースを、５本の検査用耐圧ホース体１９から構成する。耐圧ホース体１９同士をホース継手２１で接続する。ホース継手２１をそれぞれ、金属製の雄継手部材２５及び金属製の雌継手部材２７とから構成する。雄継手部材２５の差込部２９を雌継手部材２７の収容部３７にきつく差し込むことによりホース継手２１を接続する。一端側の耐圧ホース体の一端部を床暖房用配管の圧力計に接続可能に構成し、他端側の耐圧ホース体１９の他端部を高速架設用ポンプの減圧バルブに接続可能に構成しておく。【選択図】図２
0003177309.tif 000002
【実用新案登録請求の範囲】
【請求項１】
一端部が床暖房用配管等の建造物用配管に接続され、他端部が高速仮設ポンプに接続されて前記建造物用配管に加圧水を供給する建造物用配管の検査用耐圧ホースであって、
複数の検査用耐圧ホース体をホース継手を介して接続した構成を有し、
前記ホース継手は、互いに接続された検査用耐圧ホース体の一方に固定された、差込部を有する金属製の雄継手部材と、他方に固定された、収容部を有する金属製の雌継手部材と、を備え、
前記雄継手部材は、前記差込部が引き抜き可能な状態で前記雌継手部材の前記収容部に密封的に差し込まれて嵌り込むことにより前記雌継手部材と接続されていて、前記検査用耐圧ホースの一端部は前記建造物用配管に取り付けられた圧力計に接続可能に構成され、前記検査用耐圧ホースの他端部は、高速仮設ポンプに設けられた減圧バルブに接続可能に構成されている、ことを特徴とする検査用耐圧ホース。
【請求項２】
前記雄継手部材の前記差込部の外周にはシールリングが嵌め付けられている、ことを特徴とする請求項１記載の検査用耐圧ホース。
【請求項３】
前記雄継手部材の外周には第１の接続フランジが設けられ、前記雌継手部材の外周には第２の接続フランジが設けられ、前記雄継手部材の前記第１の接続フランジと前記雌継手部材の前記第２の接続フランジとを挟んで接続する取り外し可能なクリップが前記雄継手部材及び前記雌継手部材の外周に嵌め付けられていて、このクリップは前記雄継手部材又は雌継手部材の外周に設けられた位置決め凹部に嵌り込んでいる、ことを特徴とする請求項１又は２記載の検査用耐圧ホース。
【請求項４】
前記検査用耐圧ホース体は１０ｍ以下の長さに形成されている、ことを特徴とする請求項１、２又は３記載の検査用耐圧ホース。
【考案の詳細な説明】
【技術分野】
【０００１】
本考案は、マンション等の床に蛇行状態で配置される床暖房用配管などの建造物用配管の漏洩の有無を検査する検査用耐圧ホースに関する。
【背景技術】
【０００２】
マンション等の床に蛇行状態で配置される床暖房用配管には、建築工事中の手違い等により孔や亀裂が生じるおそれがあるが、床暖房用配管に孔や亀裂が生じたままマンション等の床工事を完了させると、後に床暖房用配管も含めて床全体を補修することが必要となる。したがって、床暖房用配管を配置してから適切な段階で床暖房用配管の漏洩（漏洩の原因）の有無を検査することが必要となる。
【０００３】
検査方法としては、床暖房用配管に手動ポンプを接続し、この手動ポンプの操作により床暖房用配管内に加圧水を供給し、加圧水の圧力状態を観察するといった手法や、特許文献１に記載されているように、床暖房用配管の一端部に手動ポンプを接続するとともに、床暖房用配管の他端部に風船を取り付けておき、この手動ポンプの操作により床暖房用配管内に加圧空気を供給し、風船の膨らみ加減を観察するといった手法などが用いられている。
【先行技術文献】
【特許文献】
【０００４】
【特許文献１】特開２００４−１７７００７号公報
【考案の概要】
【考案が解決しようとする課題】
【０００５】
しかしながら、床暖房用配管は蛇行して配置されているため全長が長く、手動ポンプにより床暖房用配管内を十分に加圧するには時間がかかりすぎる。そこで、マンション等の工事用として使用する加圧水供給装置（高速仮設ポンプ）に検査用耐圧ホースを接続し、この検査用耐圧ホースから床暖房用配管内に加圧水を供給することが行われている。
【０００６】
ところが、加圧水供給装置は重量が大きく自由に持ち運びができないので、加圧水供給装置から床暖房用配管までを長い検査用耐圧ホースで連結することが必要な場合も少なくない。したがって、床暖房用配管の検査の際には長い検査用耐圧ホース（例えば５０ｍ程度）を準備しておく必要がある。しかしながら、検査用耐圧ホースは大きな肉厚で重いため、このような長い検査用耐圧ホースを持ち運ぶのは容易ではない。
【０００７】
そこで本考案は、取り扱い性に優れた床暖房用配管の検査用耐圧ホースを提供することを目的とする。
【課題を解決するための手段】
【０００８】
この目的を達成するための本考案の検査用耐圧ホースは、一端部が床暖房用配管等の建造物用配管に接続され、他端部が加圧水装置に接続されて前記建造物用配管に加圧水を供給する建造物用配管の検査用耐圧ホースであって、複数本、具体的には３本乃至７本の検査用耐圧ホース体をホース継手を介して接続した構成を有し、前記ホース継手は、互いに接続された検査用耐圧ホース体の一方に固定された、差込部を有する金属製の雄継手部材と、他方に固定された、収容部を有する金属製の雌継手部材と、を備え、前記雄継手部材は、前記差込部が引き抜き可能な状態で前記雌継手部材の前記収容部に密封的に差し込まれて嵌り込むことにより前記雌継手部材と接続されていて、前記検査用耐圧ホースの一端部は建造物用配管に取り付けられた圧力計に接続可能に構成され、前記検査用耐圧ホースの他端部は、前記加圧水装置の減圧バルブに接続可能に構成されているものである。
【０００９】
雄継手部材の差込部の外周にはシールリングが嵌め付けられていることが好ましい。差込部はこのシールリングが圧縮されるように収容部に差し込まれ、簡単に外れないように保持される。
【００１０】
雄継手部材の外周には第１の接続フランジが設けられ、雌継手部材の外周には第２の接続フランジが設けられ、雄継手部材の第１の接続フランジと雌継手部材の第２の接続フランジとを挟んで接続する取り外し可能なクリップが雄継手部材及び雌継手部材の外周に嵌め付けられていて、このクリップが雄継手部材又は雌継手部材の外周に設けられた位置決め凹部に嵌り込んでいることが効果的である。このクリップにより雄継手部材と雌継手部材との分離が防止される。雄継手部材と雌継手部材とを分離する場合には、クリップを取り外し、雄継手部材を雌継手部材から引き抜く。
【００１１】
検査用耐圧ホース体の長さは１０ｍ以下であることが好ましい。検査用耐圧ホース体の長さが１０ｍを超えると取り扱い性が悪化する。そして、検査用耐圧ホース体を例えば３本乃至７本接続することにより必要な長さの検査用耐圧ホースが構成される。
【考案の効果】
【００１２】
本考案によれば、運搬時等は、雌継手部材から雄継手部材を取り外し、検査用耐圧ホース体を分離して取り扱い、検査時には雄継手部材を雄継手部材に嵌め付け、検査用耐圧ホース体を接続して必要な長さの検査用耐圧ホースを構成することができる。
【図面の簡単な説明】
【００１３】
【図１】本考案に係る検査用耐圧ホースを用いた床暖房用配管の漏洩検査の全体構成図である。
【図２】検査用耐圧ホースの構成に用いられるホース継手及び抜け止め用クリップを取り外した状態の分解斜視図である。
【図３】ホース継手を接続し、抜け止め用クリップをホース継手に嵌め付けた状態の斜視図である。
【図４】ホース継手を接続した状態の断面図である。
【図５】ホース継手に抜け止め用クリップを嵌め付けた状態の正面図である。
【図６】抜け止め用クリップの嵌め付け過程を示す図である。
【考案を実施するための形態】
【００１４】
以下、図面を参照して本考案の実施の形態を説明する。
【００１５】
図１は本考案に係る検査用耐圧ホースを用いた床暖房用配管の漏洩検査の全体構成図である。
【００１６】
マンションの床1には金属製又は樹脂製の床暖房用配管３が蛇行して配置されている。床暖房用配管３の両端部５、７は通常、給湯器（図示せず）に接続されていて、床暖房用配管３内にはこの給湯器から暖房用の温水が供給され、供給された温水は床暖房用配管３内を循環する。
【００１７】
検査時には、床暖房用配管３の両端部５、７から給湯器側ホースを取り外し、一方の端部５に、圧力計９を介して検査用耐圧ホース１１の一端部を接続し、この検査用耐圧ホース１１の他端部を、減圧バルブ１３を介して加圧水供給装置（高速仮設ポンプ）１５に接続する。この高速仮設ポンプ又は高速架設ポンプ１５は、建造物又はマンション建設中は工事現場に設置して高圧水を各階の必要個所に供給するが、建設完了後に撤去されるものである。そして、床暖房用配管３の他端部７を開放した状態で、他端部７から加圧水が流出するまで加圧水供給装置１５から床暖房用配管３内に加圧水を供給し、床暖房用配管３内を空気抜きする。床暖房用配管３の他端部７から加圧水が流出し始めたら加圧水供給装置１５からの加圧水の供給を停止し、床暖房用配管３の他端部７に栓１７を取り付ける。
【００１８】
床暖房用配管３の他端部７に栓１７を取り付けたら、再び加圧水供給装置１５からの加圧水の供給を開始する。加圧水供給装置１５の最高出力は５０又は４９ＭＰａであるが（一般的に３５ＭＰａ乃至８０ＭＰａ）、減圧バルブ１３を介したときの最高出力は０．３５ＭＰａ乃至１０ＭＰａとなる。そして、圧力計９の計測値が所定値、例えば０．２ＭＰａとなったときに加圧水供給装置１５からの加圧水の供給を再び停止し、圧力計９の計測値を観察する。圧力計９の計測値が加圧水の供給を停止したときから一定であれば床暖房用配管３には漏洩個所が無いことになり、床１の工事を続行することができる。また、圧力計９の計測値が徐々に低下する場合には床暖房用配管３に孔等の漏洩個所があるので、漏洩個所を確認し、床１の工事を続行する前に必要な補修や部品の交換などを行っておく。補修や部品の交換などを行ったら、再度、床暖房用配管３に加圧検査を施し、床暖房用配管３に漏洩個所が無いことを確認する。
【００１９】
検査用耐圧ホース１１は、複数本（例えば５本）の耐圧ホース体１９をホース継手２１で接続することにより、必要な長さとなるように構成されている。それぞれのホース継手２１には抜け止め用クリップ２３が嵌め付けられている。したがって、検査用耐圧ホース１１は、持ち運び時には、複数本の耐圧ホース体１９に分解しておくことができる。また、分解した複数本の耐圧ホース体１９を例えば車両に積み込んでおき、検査現場で必要本数の耐圧ホース体１９を接続して使用し、床暖房用配管３の漏洩検査を行うことができる。耐圧ホース体１９の長さは、ホース継手２１を除いて１０ｍ又は１０ｍ以下となっている。なお、図中２４は、開閉操作コックである。
【００２０】
図２は検査用耐圧ホース１１の構成に用いられるホース継手２１及び抜け止め用クリップ２３を分離した状態の分解斜視図、図３はホース継手２１を接続し、抜け止め用クリップ２３をホース継手２１に嵌め付けた状態の斜視図、図４はホース継手２１を接続した状態の断面図、図５はホース継手２１に抜け止め用クリップ２３を嵌め付けた状態の正面図である。
【００２１】
ホース継手２１はそれぞれ、金属製の雄継手部材２５及び金属製の雌継手部材２７を備え、雄継手部材２５は前方の差込部２９及び後方のホース接続部３１を一体的に有していて、差込部２９及びホース接続部３１の間の雄継手部材２５の外周には抜け止め用第１フランジ３２が一体的に形成されている。差込部２９の外周には2本のシールリング３３が長さ方向に間隔をあけて嵌め付けられていて、ホース接続部３１の外周には断面三角形状の抜け止め環状突起３５が３つ連続して形成されている。雌継手部材２７は前方の収容部３７及び後方のホース接続部３９を一体的に有し、収容部３７の外周の前端部には抜け止め用第２フランジ４１が一体的に形成されて、この抜け止め用第２フランジ４１の後側に位置決め凹部３８が形成されている。雌継手部材２７のホース接続部３９は雄継手部材２５のホース接続部３１と同一形状に形成されている。
【００２２】
それぞれの耐圧ホース体１９の一端部には雌継手部材２７のホース接続部３９がきつく挿入され、かつ、耐圧ホース体１９をホース接続部３９に締め付ける締め付けリング４３が取り付けられている。また、それぞれの耐圧ホース体１９の他端部には雄継手部材２５のホース接続部３１がきつく挿入され、かつ、耐圧ホース体１９をホース接続部３１に締め付ける締め付けリング４３が取り付けられている。
【００２３】
ホース継手２１は、雄継手部材２５の差込部２９を雌継手部材２７の収容部３７に、シールリング３３が押し潰されるようにして差し込むことにより接続されている。差込部２９の収容部３７内への差し込みは、雄継手部材２５の抜け止め用第１フランジ３２が雌継手部材２７の抜け止め用第２フランジ４１に接近又は当接するようにして行われる。そして、抜け止め用第１フランジ３２及び抜け止め用第２フランジ４１を両側から挟み、雄継手部材２５が雌継手部材２７から抜け出すのを防止する抜け止め用クリップ２３が、雄継手部材２５及び雌継手部材２７の外周に、位置決め凹部３８に嵌り込んだ状態で取り付けられている。抜け止め用クリップ２３は、細長い金属製プレートを、コ字状の連結部４５、連結部４５の両端からそれぞれ延びる円弧状部４７及び円弧状部４７の両端にそれぞれ形成された開き部４９が設けられるようにプレス成形して形成されていて、両側面部に、抜け止め用第１フランジ３２及び抜け止め用第２フランジ４１が嵌り込むように形成された抜け止め窓５１を有している。このような構成の抜け止め用クリップ２３は、両側の抜け止め窓５１内に抜け止め用第１フランジ３２及び抜け止め用第２フランジ４１が嵌り込み、抜け止め用第１フランジ３２及び抜け止め用第２フランジ４１が分離しないように、開き部４９側から雄継手部材２５及び雌継手部材２７の外周に取り付けられている。抜け止め用クリップ２３は、図６に示すように、円弧状部４７及び開き部４９を押し広げながらホース継手２１の外周に嵌め付けられるが（図６ａ）、円弧状部４７及び開き部４９の境界がホース継手２１の径方向中央を越えると、円弧状部４７がスナップ的に弾性復帰し、抜け止め窓５１内に抜け止め用第１フランジ３２及び抜け止め用第２フランジ４１を収容してホース継手２１の外周に嵌り付く（図６ｂ）。
【００２４】
なお、圧力計９に接続されている耐圧ホース体１９の一端部には圧力計９用のコネクタ（図示したものは抜け止め用クリップを用いるものであるが、ねじ込み式のコネクタでもよい）が取り付けられ、減圧バルブ１３に接続されている耐圧ホース体１９の他端部には減圧バルブ１３用のコネクタ（図示したものは抜け止め用クリップを用いるものであるが、ねじ込み式のコネクタでもよい）が取り付けられている。
【００２５】
このようにして、洩水の確認と修理洩れの防止を行うことができるが、床暖房用配管では例えば０．２ＭＰａ乃至０．２５ＭＰａの水圧を３０分間維持し、設備配管では、例えば７．５ＭＰａの水圧を３０分間維持する。
【産業上の利用可能性】
【００２６】
本発明の検査用耐圧ホースは、例えば、マンションなどの床暖房用配管の検査を床工事の途中で簡単かつ迅速に行う場合に効果的に利用することができる。
【符号の説明】
【００２７】
１                    マンションの床
３                    床暖房用配管
１１                  検査用耐圧ホース
１５                  加圧水供給装置
１９                  耐圧ホース体
２１                  ホース継手
２５                  雄継手部材
２７                  雌継手部材
【図１】
0003177309.tif 000003
【図２】
0003177309.tif 000004
【図３】
0003177309.tif 000005
【図４】
0003177309.tif 000006
【図５】
0003177309.tif 000007
【図６】
0003177309.tif 000008